(57)【要約】【課題】マイクロホン、増幅器、電源電池等を有する本体と、これに電気コードで接続されたイヤホーンとを有するポケット型の補聴器における絹擦れ音の混入を抑制する。【解決手段】マイクロホン部８を増幅器５、電源電池６等を有する本体１と電気コード７によって接続し、マイクロホン部８には、前方へ向って開いた椀状の集音器１１とマイクロホン素子１４と、マイクロホン素子１４の受音面と集音器１１の前面との間に介在する導音管１３と、集音器１１の背面を衣服に支持する留具１９とを設ける。【選択図】図１
0003134041.tif 000002
【実用新案登録請求の範囲】
【請求項１】
増幅器及び電源電池を収容したポケット型の本体と、この本体の出力側にそれぞれ電気コードで接続されている１対のイヤホーンと、上記本体の入力側に電気コードで接続され背面に衣服への留具を有するマイクロホン部とよりなる補聴器。
【請求項２】
請求項１において、上記マイクロホン部は、前方へ向って開いた椀状の集音器と、この集音器の前面とマイクロホン素子の受音面との間に介在する導音管とを有することを特徴とする補聴器。
【請求項３】
請求項２において、上記集音器は上記留具に対し支持角度が変更可能に取付けられていることを特徴とする補聴器。
【請求項４】
請求項１において、上記留具はネクタイピン状であることを特徴とする補聴器。
【考案の詳細な説明】
【技術分野】
【０００１】
本考案は、増幅器及び電源電池等を有する本体と、この本体に電気コードで接続されたマイクロホンと１対の受話器とを有する補聴器に関するものである。
【背景技術】
【０００２】
補聴器は、マイクロホン、増幅器、電源電池等を有し被服のポケット等に収容される本体、及びこれに電気コードで接続された１対の受話器よりなるポケット型と、耳殻の上部に支持した本体より耳腔内へ導音管が伸延している耳掛型と、耳腔内へ挿入された耳栓に本体が直接取付けられている耳栓型とに大別される。
【０００３】
このうち、耳掛型及び耳栓型は、電源電池が小容量であるために頻繁に交換を要することに加えて、電池が高価でその交換の操作が高齢者にとって面倒で、音量調節操作が難しく、マイクロホンから導音管や耳栓の先端までの距離が短いために、特に難聴者にとって聴力の低下が著しい高い周波数領域でハウリングが起こり易い。また、これらの型では補聴器を使用していると、携帯型のラジオ受信機、音楽再生機、語学練習器などのオーディオ機器を併用するのが困難である。
【０００４】
これに対してポケット型の補聴器は、安価で大容量の電池を使用できることに加えてその交換が容易で、音量調節操作も容易で、マイクロホンと受話器との距離が大きいために、特に高い周波数領域でのハウリングが起きにくい長所を有している。
【考案の開示】
【考案が解決しようとする課題】
【０００５】
上述のように、経済性、操作性、電気的特性の面で、ポケット型補聴器は他の２機種に較べて勝っているが、上記本体またはこの本体より伸延する集音器が衣服等と擦れて衣擦れ音が混入する問題があった。本考案は、上述の衣擦れ音の発生を軽減して、より鮮明な補聴信号を得ようとするものである。
【課題を解決するための手段】
【０００６】
本考案は、ポケット型補聴器において一般に本体内部に配置されているマイクロホンを上記本体とは別に設け、これにクリップ等の留具を設けて衣服の襟などに取付け、これを電気コードによって上記本体に結合する。マイクロホンには音声の入来方向に指向された集音器を設けることが望ましく、上記本体内には必要に応じラジオ受信機、音楽再生機、語学練習機などの適宜の信号源を設けることもできる。
【考案の効果】
【０００７】
上述のように、本考案による補聴器では、耳掛型や耳栓型の補聴器に較べてマイクロホンとイヤホーンとの間の距離を大きくできるので、難聴者にとって有害な高音域でのハウリングの抑制が容易になり、かつ大型の電源電池を使用できるために経済的でその交換も容易になる。
【０００８】
そして、マイクロホンは衣服の襟などに留具によって固定されるので、衣擦れ音を発生せず、集音器を設けてその支持方向を調節することにより、所望方向からの音声を選択的に捕捉することが可能になる。
【考案を実施するための最良の形態】
【０００９】
好ましい実施形態では、補聴器は、電源電池や増幅器などを収容した本体と、この本体に電気コードで結合されたマイクロホン部と、上記本体に電気コードで結合されたイヤホーンとを有する。マイクロホン部はネクタイピン状の留具を有し、前面へ向けて開口した椀状の集音器の背面の膨大部を支持し、この支持方向は変更可能とすることが望ましい。膨大部から下方へ導音管が伸延し、この導音管の下端にマイクロホン素子が結合され、導音管の上端は集音器の前面の中央附近に開口する。
【実施例】
【００１０】
図１において、１は本体で、内部にラジオ受信機、音楽再生機、語学練習機等のオーディオ信号源２と、入力切換器３と、音量調節器４と増幅器５と電源電池６等が収容され、電気コード７を経て入来するマイクロホン部８からの受話信号及び上記オーディオ信号源２からのオーディオ信号が入力切換器３、音量調節器４及び増幅器５で処理され、電気コード９、９を経てイヤホーン１０、１０に至っている。
【００１１】
マイクロホン部８は、図２に示すように椀状の集音器１１の背後に位置する膨大部１２から下方へ導音管１３が伸延し、導音管１３の下端にはマイクロホン素子１４を収容した容器１５が嵌められていて、導音管１３の上端に通じる連通孔１６が集音器１１の前面に開口している。集音器１１の前面には、適当な隙間を隔てて円板状の遮風板１７が配置され、遮風板１７を支持す支柱１８は膨大部１２内に固定されている。１９はネクタイピン状の留具で、その前面には膨大部１２を両側から挟指するコ字形の金具２０を有し、金具２０の両翼から内面へ向けて形成された突起２１、２１が膨大部１２の側面に形成した凹所２２、２２に嵌合している。
【００１２】
イヤホーン１０は実用新案登録第３１２８５６４号に示されているように、電気コード９によって送られて来た信号を音声に変換する変換器２３から耳腔内へ伸延する軟質樹脂製の導音管２４を有し、導音管２４の先端には周囲へ向ってきのこ状に拡がって耳腔内壁に接する笠部２５が設けられている。そして変換器２３より伸延する中心孔２６が笠部２５の中心に開口し、この中心孔２６を囲んで笠部２５に耳腔の内外を連通する通路２７、２７・・・・が形成されている。
【００１３】
上述の実施例においては、先ずマイクロホン部８で金具２０を膨大部１２から外してマイクロホン素子１４が下方になるように留具１９の向きを選択してから、マイクロホン部８を金具１９によって左右何れかの襟に取付ける。図は、マイクロホン部８を左襟に取付ける際の金具１９の向きを示している。次に双方の耳腔にイヤホーン１０、１０を挿入し、本体１の入力切換器３においてマイクロホン部８を選択し、電源スイッチを投入すれば、マイクロホン部８に入来した音声を増幅して聴取することができる。そして集音器１１の留具１９に対する角度を金具２０の間で上下方向に調節することにより、集音器１１をより正しく音声の入来方向に調節することができる。ここで、マイクロホン部８は衣服の襟に留具１９によって固定されているので、衣服との接触による衣擦れ音を防ぐことができる。
【００１４】
また、上述の実施例では、導音管１３の内部に樹脂の発泡体を充填するときは、言葉の識別に不要な高音領域を吸収させて聴取音を清澄にする効果があり、この効果の程度は発泡体の充填密度によって調節することができる。
【００１５】
そして、入力切換器３で本体１内に設けられているオーディオ信号源２を選択し、或いはこれとマイクロホン部８の両方を選択することによってオーディオ信号またはこれと補聴信号の両方を聴取することが可能になる。
【産業上の利用可能性】
【００１６】
以上のように本考案によるときは、経済性、操作性、電気的特性の面で優れているポケット型補聴器の欠点である衣擦れ音を抑制して、より優れた補聴器を実現することができ、かつ補聴信号と希望のオーディオ信号とを同時または選択的に聴取できる。
【図面の簡単な説明】
【００１７】
【図１】本来の実施例の正面図である。
【図２】図１におけるＸ−Ｘ線及びＹ−Ｙ線に沿う断面図である。
【符号の説明】
【００１８】
１      本体
２      オーディオ信号源
３      入力切換器
５      増幅器
６      電源電池
７      電気コード
８      マイクロホン部
９      電気コード
１０    イヤホーン
１１    集音器
１２    膨大部
１３    導音管
１４    マイクロホン素子
１９    留具
２０    コ字形金具
２１    突起
【図１】
0003134041.tif 000003
【図２】
0003134041.tif 000004